(57)【要約】      （修正有）【課題】表裏に、硬質の樹脂シートを使用したシート状表示媒体であっても、平坦な机などに置いた場合に、手で容易に撓ませて取ることができる製品を提供する。【解決手段】表示機能を有する表層シート、中間層及び外層シート１を積層してなるシート状表示媒体において、外層シートに、複数のカット線５を設け、かつそのカット線の深さを外層シートの厚さの５０％以上とする。【選択図】図４
2010191350.tif 000002
【特許請求の範囲】
【請求項１】
表示層を備えた表面シート、中間層及び外層シートを積層してなるものであり、前記外層シートに、複数のカット線を設けたものであり、該カット線の深さが前記外層シートの厚さの５０％以上であることを特徴とするシート状表示媒体。
【請求項２】
前記表面シート、中間層及び外層シートがそれぞれ接着剤で接合されていることを特徴とする請求項１のシート状表示媒体。
【請求項３】
前記表面シート及び外層シートがポリエステル系樹脂、ポリ塩化ビニル及びＡＢＳからなる群から選ばれる樹脂からなるものであることを特徴とする請求項１又は２のシート状表示媒体。
【請求項４】
前記中間層がエラストマーからなることを特徴とする請求項１〜３いずれか１項のシート状表示媒体。
【請求項５】
前記中間層が前記外層シートより厚く形成されていることを特徴とする請求項１〜４いずれか１項のシート状表示媒体。
【請求項６】
前記カット線の深さが、前記外層シートと前記中間層の接着剤層で終わっていることを特徴とする請求項２〜５いずれ１項のシート状表示媒体。
【請求項７】
前記外層シートと前記中間層の間にＩＣチップを実装したインレットシートが存在することを特徴とする請求項１〜６いずれか１項のシート状表示媒体。
【発明の詳細な説明】
【技術分野】
【０００１】
本発明は、柔軟性を増した、取り扱い易いシート状表示媒体に関する。
【背景技術】
【０００２】
非接触式ＩＣカードやタグとしては、例えば特許文献１にあるように、ＩＣチップを実装したインレットシートを含む中間層の両面に樹脂シートからなる外層を設けた、多層構造からなるものがよく知られている。しかし、一般的に、中間層も外層も硬い材料から構成されるため、机などの平坦な表面に置くと、カードやタグが曲がらないため、手で容易に取れないという問題があった。
【０００３】
そこで、硬い材料の表面をカットすることを試みたが、カットの深さが浅いと、十分な柔軟性を得ることはできず、またカットの深さが深いと、柔軟性は得られるが、曲げの繰り返しにより、破断してしまう恐れがあった。
そこで、このようなカードやタグにおいて、中間層と外層に柔軟性ある材料を使用して柔軟性ある製品を製造することが考えられるが、この場合、材料の線膨張率の違いにより基材の収縮により反りが発生する場合がある。また、その反りを抑制するために、外層を、基材と同じ材質又は硬い材料で構成すると、カードやタグが硬くなってしまい、机などの平坦な表面に置くと、カードやタグが曲がらないため、手で容易に取れないという問題があった。
特に、表示機能を有するカードやタグ（例えば、ロイコ染料を使用したリライト可能な表示層を持つカードやタグ）に、非接触ＩＣ（ＲＦＩＤ用インレイ）の機能を付加させなければならない場合など、カードやタグの厚さが必要になり、このような問題は、深刻となっている。
【先行技術文献】
【特許文献】
【０００４】
【特許文献１】特開２０００−３１１２２５号公報
【発明の概要】
【発明が解決しようとする課題】
【０００５】
本発明は、表裏に、硬質の樹脂シートを使用したカードやタグなどのシート状表示媒体であっても、平坦な机などに置いた場合に、手で容易にとれるものとすることを課題とする。
【課題を解決するための手段】
【０００６】
本発明では、表示機能を有する（例えば、表面にリライト可能な表示層をもつ）表層シート、中間層（ＩＣチップを実装したインレットシートを含んでもよい）及び外層シートを順次積層してなるカードやタグなどのシート状表示媒体において、外層シート表面にカット線を設けることにより、カードやタグなどの表示媒体の少なくとも一部を折り曲げ可能とすることにより、上記課題を解決した。
【０００７】
即ち、本発明の表示媒体は、表示機能を有する表層シート、中間層及び外層シートを積層してなるカードやタグなどであって、前記外層シートに、複数のカット線を設けたものであり、前記カット線の深さが前記外層シートの厚さの５０％以上であること特徴とする。なお、カット線は、シート全体に設けても良いが、表示媒体を取り上げる際に指が触れるシートの角や縁などに部分的に設けても良い。
【０００８】
カット線は、一定間隔で、平行に設けられるのが好ましく、カードやタグなどの一辺に対して平行に、又は一定角度（２５〜７５°）をなすように平行に設けられるのがよく、格子状に設けられてもよい。
【０００９】
なお、カット線の間隔は３〜３０ｍｍ程度であればよく、３〜２０ｍｍ程度、特に５〜１５ｍｍ程度であるのが好ましい。カット線の間隔が狭すぎると、外層シートの強度及び安定性にも悪影響を及ぼすことがある。逆にカット線の間隔が広すぎると、カードやタグなどの表示媒体の柔軟性に欠け、また、カット線が存在する部分に応力が集中するので、中間層や表層シートの強度に害を与えることがある。
【００１０】
カット線の深さは、外層シートの厚さの５０％以上、特に７０％以上であるのが好ましく、外層シートを越えて、外層シートを中間層に接着する接着剤層に及ぶ深さとしてもよい。ただし、カット線の深さが中間層に及ぶと、カードやタグなどの表示媒体の曲げの繰り返しにより、カードやタグなどの表示媒体が破断する危険性があり、またＩＣチップを実装したインレットシートにカット線が及ぶと、回路の断線を起こす危険性があるので、カット線は中間層に及ばないようにするのが好ましい。
【００１１】
本発明のカードやタグなどの表示媒体の表層シート、中間層及び外層シートに使用される樹脂の種類は限定されるものではないが、表層シート及び外層シートは、ポリエチレンテレフタレート（ＰＥＴ）、アクリロニトリル・ブタジエン・スチレン（ＡＢＳ）又はポリ塩化ビニル（ＰＶＣ）などの硬質シートから構成され、中間層は柔軟性に富んだエラストマーから構成されるのが好ましく、例えば、オレフィン系、塩ビ系、ウレタン系、ポリエステル系、ポリアミド系、スチレン系などのエラストマーがいずれも使用可能である。また、中間層を外側シートより厚く形成するのがよい。
【発明の効果】
【００１２】
本発明のカードやタグなどのシート状表示媒体は、その外層表面に、適度の深さと間隔で、カット線を有するため、カット線が存在する箇所で、カードやタグなどを曲げて持ち上げやすく、平滑な板上にそれらを置いても、手で容易に取り上げることが可能となる。
【図面の簡単な説明】
【００１３】
【図１】本発明の一例の断面図である。
【図２】本発明の一例の断面図である。
【図３】本発明の一例における外層の平面図である。
【図４】本発明における外層の平面図である。
【図５】本発明の製品の使用状態を示す説明図である。
【発明を実施するための形態】
【００１４】
本発明について、カードを例として図に示し、更に詳しく説明する。
本発明の製品は、例えば、図１又は図２に例示されるようなカードＸの外層シート１の表面に、図３や図４のように、カット線５を設けたものである。カードＸは、表示層４を有する表層シート３と中間層２と外側シート１を有するものであり、中間層２には、ＩＣチップを実装したインレットシート６が含まれることがある。
【００１５】
図３では、外層シート１の全面にカット線５が格子状に設けられているが、このカット線５は、図４のように、外層シート１の外周に面する箇所に部分的に設けられてもよい。
図３の例では、カードは、どの辺からも柔軟に曲げて取り扱うことができるが、図４のように部分的にカット線５を設けた場合には、該カット線５が存在する箇所（図４の矢印側）からカードＸを取り上げることにより、取り扱いが容易になる。
なお、部分的にカット線５を設ける場合、外層シート１の一辺側に設ける際には、図４の（Ｃ）（Ｄ）のように、その辺に平行となるように、該辺の全長の長さに設けるのが好ましく、該カット線５は、格子状に形成されてもよい。また、角部のみに設ける場合には、図４の（Ａ）（Ｂ）のように、格子状に設けるか、又は該角を頂点とする三角形を形成するように左右の辺に対して一定角度（２５〜７５°）をなすように斜めに設けるのが好ましい。
【００１６】
かかる本発明では、カット線５の存在により、図５のようにカードＸを折り曲げて取り扱うことができるものであるが、カット線５を、図５（Ａ）（Ｂ）のように切り込み角度に変化をもたせることにより、カードＸの撓みの程度を調節できる。即ち、切り込み角度を（Ｂ）のように大きくすることにより、カードＸを大きく撓ませて取り扱うことができることとなる。切り込み角度は、カット線５を設けるカッターの刃先の角度により調整可能であるが、例えば、切り込み角度αは、１５〜３０°程度とするのが好ましい。
【００１７】
［実施例１］
下記層構造（１）を有する８５ｍｍ×２００ｍｍのカードＸ（図１参照）を準備し、その外層シート１に、図３に示すように、５ｍｍ×１０ｍｍの格子状にカット線５を施した。なお、カット線５の深さは、外層シート１を超え、その上の接着剤層７に収まるものとした。
層構造（１）
表面に表示層を設けた表層シート（ＰＥＴ）
接着剤層（エポキシ樹脂）
中間層（軟質ポリオレフィンシート）
接着剤層（エポキシ樹脂）
外層シート（ＰＥＴ）
カット線を設けていないカードは、表示層を上にして、平滑な机の上に置いた場合、机の上に吸い付いたようになり、取り上げるのが困難であったが、カット線５を設けた本実施例の製品は、同様に机の上に置いた場合、カット線５の存在によって、柔軟にカードを撓ませて容易に机から取り上げることができた。
【００１８】
［実施例２］
実施例１の層構造（１）の中間層２と外層シート１の間にＲＦＩＤ用インレットシートを搭載した層構造（２）を有する８５ｍｍ×２００ｍｍのカードＸ（図２参照）を準備し、その外層シートに、図１に示すように、５ｍｍ×１０ｍｍの格子状にカットを施した。なお、カットの深さは、外層を超え、その上の接着剤層に収まるものとした。
この場合、カットの深さがインレットシートに達してしまうと、回路の破断が生じる可能性があるので、注意を要する。
この例でも、実施例１同様、どの角度からも、容易に、柔軟に撓ませて机などからカードＸを取り上げることができた。
【００１９】
なお、実施例２のカードＸで、カット線５を５ｍｍ間隔で、図４の（Ａ）（Ｂ）（Ｃ）（Ｄ）のように外層シート１の端部に設けたものも製造した。いずれも、図４に示されるように矢印方向から、容易に撓ませて取り上げることができる、扱い易いカードとなった。
【００２０】
別途、実施例２のカードＸで、カット線５を長手方向及び短手方向ともに２０ｍｍ間隔で行った場合には、カットをしなかった場合に比して柔軟性は増すが、図３のように、長手方向に１０ｍｍ間隔、短手方向に５ｍｍ間隔でカット線を設けた場合に比べて、若干柔軟性に劣るものとなった。
【符号の説明】
【００２１】
１  外層シート
２  中間層
３  表面シート
４  表示層
５  カット線
６  インレットシート
７  接着剤層
【図１】
2010191350.tif 000003
【図２】
2010191350.tif 000004
【図３】
2010191350.tif 000005
【図４】
2010191350.tif 000006
【図５】
2010191350.tif 000007